(57)【特許請求の範囲】
【請求項１】
電波吸収板の周囲の端縁を挟持する装着溝を有し、かつ、前記装着溝がループ状に連なったゴム製の枠体であって、
カーボン以外の軟磁性体の粉末がゴムに添加されたゴム製の枠体。
【請求項２】
請求項１において、
前記軟磁性体の粉末がフェライト，純鉄またはニッケルで、かつ、前記ゴムにはカーボンが添加されているゴム製の枠体。
【請求項３】
請求項１において、
前記カーボン以外の軟磁性体の粉末が１重量％以上添加されたゴム製の枠体。
【請求項４】
請求項１，２もしくは３の枠体に、電波吸収機能を有する電波吸収板を装着してなる電波吸収構造。
【発明の詳細な説明】
【０００１】
【発明の属する技術分野】
本発明は、電波の吸収機能を有する電波吸収板を有料道路の料金所等の構造物の天井などに装着するためのゴム製の枠体に関するものである。
【０００２】
【従来の技術と発明が解決しようとする課題】
たとえば、有料道路においては、料金所と送受信機との間で頻繁に無線通信を行うことから、電波が空中を飛散しているので、種々の通信の誤動作を招く原因となる。そこで、料金所の構造物の天井などには、電波を吸収することのできる電波吸収板を装着することがなされている。電波を吸収する方法としては、枠体に電波吸収板を嵌め込んで、枠体と電波吸収板とを前記構造物に取り付ける。しかし、こうした方法では、枠体における電波吸収がなされていないので、電波が吸収しきれない。かかる問題は、他の構造物に電波吸収板を取り付ける際にも同様に生じる。
そこで、本発明においては、電波を吸収し得るゴム製の枠体を提供することを目的とする。
【０００３】
【課題を解決するための手段】
前記目的を達成するために、本発明は、電波吸収板の周囲の端縁を挟持する装着溝を有し、かつ、前記装着溝がループ状に連なったゴム製の枠体であって、カーボン以外の軟磁性体の粉末がゴムに添加されていることを特徴とする。
【０００４】
本発明において、前記カーボン以外の軟磁性体の粉末は１重量％以上添加されているのが好ましい。
また、本発明において、電波吸収板としては、ゴムなどの主材にフェライトを添加したゴム板や、このゴム板に金属の反射層および／または樹脂板を積層した積層板などを採用することができる。
【０００５】
【発明の実施の形態】
以下、本発明の好ましい実施形態について、図面を参照しながら説明する。
図１は第１実施形態の底面図を示す。この実施形態では、２つの電波吸収板１，１を並設状態で構造物の天井などの被取付面２に取り付ける場合を例示してある。電波吸収板１，１は、平面視略矩形状の偏平なものであり、軟磁性体、例えば、フェライト、純鉄またはニッケルの粉末を添加したゴムを成形加工して形成されており、必要に応じてカーボンを加える。この電波吸収板１，１は、入射電波のエネルギを熱エネルギに変換することで、該入射電波の強度を損耗させる機能を有している。但し、この電波吸収板１は、弾性体であるゴムによって偏平形状に形成されているので、剛性が比較的低いものであるが、アクリルなどの樹脂板や反射部材などを積層してもよい。
【０００６】
電波吸収板１，１の端縁部には、その全周にわたり取り囲む配置でゴム製の支持枠体３が前記端縁部を挟持する状態に取り付けられている。支持枠体３は、並設配置の２つの電波吸収板１，１の端縁部の全周に取り付けることのできる「日」字形の平面形状を有している。
【０００７】
図２（ａ），（ｂ）は図１のＡ−Ａ線切断拡大断面図およびＢ−Ｂ線切断拡大断面図を示す。外周部の支持枠体３には、図２（ａ）に示すように、電波吸収板１が存在する内側にのみ電波吸収板１を挟持するための支持片部３ａ，３ｂが突出形成されている。支持片部３ａ，３ｂ間には、電波吸収板１の端縁部が入り込む装着溝５が形成されている。中央部の支持枠体３には、図２（ｂ）に示すように電波吸収板１，１が存在する両側に電波吸収板１，１をそれぞれ挟持するための支持片部３ｃ，３ｄが突出形成されている。支持片部３ｃ，３ｄ間には、前記端縁部が入り込む装着溝６が形成されている。前記装着溝５，６は、ループ状に連なって形成されている。
【０００８】
図３は支持枠部３の一部の破断斜視図を示す。前記支持枠体３にはアンカー部９が一体形成されている。このアンカー部９は、支持枠体３に取り付けられる電波吸収板１，１に対し直交方向に突出する本体部９ａと、この本体部９ａの両側面から本体部９ａの反突出方向へ向け延出する複数のリップ９ｂとを有している。
【０００９】
また、図２の被取付面２には取付部材１０がねじ１１によって固着されている。取付部材１０は、保持溝部１０ａを有すると共に断面が略逆Ｕ字状の形状を有している。保持溝部１０ａの溝幅は、アンカー部９の両側のリップ９ｂ，９ｂの先端間の距離よりも僅かに小さく設定されている。したがって、アンカー部９は、各リップ９ｂが内方に弾性変形されながら保持溝部１０ａ内に押し込まれ、支持枠体３の支持片部３ａ，３ｂ，３ｃ，３ｄによって電波吸収板１，１を挟持した状態で取付部材１０の当接片部１０ｂに押し付けられる。このように、各くさび片９ｂの先端部分は弾性変形により保持溝部１０ａの内面に圧接し、これによってアンカー部９の保持溝部１０ａからの抜け止めがなされる。
【００１０】
前記取付構造では、電波吸収板１，１の端縁部に、支持枠体３を取り付けたのち、前記アンカー部９を前記保持溝部１０ａ内に押し込むだけの簡単な作業により、２つの電波吸収板１，１を被取付面２に対し概ね平行に対面する位置決め状態で、被取付面２を覆うように極めて迅速に取り付けることができる。また、電波吸収板１，１自体は、樹脂板や電波反射板を備えないことから剛性が低いが、この電波吸収板１，１における端縁部がその全周にわたり支持枠体３によって挟持されるので、堅牢な取付状態に保持される。
【００１１】
また、前記取付構造を用いて電波吸収板１，１を被取付面２に取り付ける施工を行うに際しては、工場において電波吸収板１，１に支持枠体３を、たとえば接着手段などによって予め仮付けしておき、この状態で取付現場まで搬送して、電波吸収板１，１に取り付いた支持枠体３のアンカー部９の配設形状に合わせて取付部材１０を被取付面２にねじ１１で固定すれば、その取付部材１０の保持溝部１０ａ内にアンカー部９を押し込むほぼワンタッチ作業で電波吸収板１，１を被取付面２へ取り付けることができる。したがって、この取付構造を用いた取付施工方法は、作業時間に厳しい制限がある有料道路の料金所の構造物などへの電波吸収板１，１の取り付けに十分対応することができる。
【００１２】
図４（ａ）は前記第１実施形態の変形例を示す概略底面図、図４（ｂ）は図４（ａ）のＣ−Ｃ線切断拡大断面図である。これらの図において、図１と同一若しくは同等のものには同一の符号を付して、重複する説明を省略する。この取付構造は、図１の第１実施形態の取付構造を２つ並設して、４つの電波吸収板１を被取付面２に取り付けたものである。したがって、図４（ａ）のＡ−Ａ線切断拡大断面図およびＢ−Ｂ線切断拡大断面図は図２（ａ），（ｂ）に示す通りである。図４（ｂ）に示すように、隣接する２つの取付部材１０，１０は、図４（ｂ）に示すように、互いに対向面を接触させた配置で設けられるので、互いに補助し合って取付強度が一層向上する。
【００１３】
前記実施形態では、電波吸収板１を被取付面２に対し対面させて概ね平行に取り付けるための支持枠体３について説明したが、本発明では、図６に示すように、電波吸収板１を被取付面２に対し概ね垂直に取り付けるための支持枠体３Ａについても適用できる。
【００１４】
【発明の効果】
以上説明したように、本発明のゴム製の枠体および電波吸収構造によれば、カーボン以外の軟磁性体の粉末を添加したゴムによって枠体を成形したので、電波吸収板で電波を吸収し得るだけでなく、前記ゴム製の枠体においても電波を吸収し得るので、電波吸収効果がより一層高まる。
【図面の簡単な説明】
【図１】本発明の第１実施形態に係る電波吸収板の取付構造を示す底面図である。
【図２】（ａ）は図１のＡ−Ａ線切断拡大断面図、（ｂ）はＢ−Ｂ線切断拡大断面図である。
【図３】支持枠体の一部を示す破断斜視図である。
【図４】（ａ）は第１実施形態の変形例を示す底面図、（ｂ）は（ａ）のＣ−Ｃ線切断拡大断面図である。
【図５】本発明の支持枠体の変形例を示す一部断面した斜視図である。
【符号の説明】
１：電波吸収板
２：被取付面
３，３Ａ：支持枠体（枠体）
５，６：装着溝
【図１】
0004403444.tif 000002
【図２】
0004403444.tif 000003
【図３】
0004403444.tif 000004
【図４】
0004403444.tif 000005
【図５】
0004403444.tif 000006